(57)【要約】通信ネットワークにおけるデータメッセージの伝送を制御するための機構は、登録手順を実行することと、MAP（Mobile Application Part）シグナリングを使用して、登録情報を含む要求メッセージを、メッセージゲートウェイエンティティから加入者データベースに送信することであって、要求メッセージは、メッセージゲートウェイエンティティに関連する登録およびアドレスデータを含む情報要素をさらに含むことと、登録情報および情報要素を加入者データベースに保存することと、メッセージゲートウェイエンティティに接続される宛先にデータメッセージを伝送するための経路情報要求に対して、加入者でデータベースより応答するために、保存された登録情報および情報要素を使用することと、を含む。【選択図】図1
2009520434.tif 000002
【特許請求の範囲】
【請求項１】
通信ネットワークにおけるデータメッセージの伝送を制御する方法であって、
・  登録手順を実行することと、
・  登録情報を含む要求メッセージを、メッセージゲートウェイエンティティから加入者データベースに、MAP（Mobile Application Part）シグナリングを使用して送信することであって、前記要求メッセージは、前記メッセージゲートウェイエンティティに関連する登録およびアドレスデータを含む情報要素をさらに含むことと、
・  前記登録情報および情報要素を前記加入者データベースに保存することと、
・  前記メッセージゲートウェイエンティティに接続された宛先にデータメッセージを伝送するための経路情報要求に対して、前記加入者データベースより応答するために、前記保存された登録情報および情報要素を使用することと、
を含む方法。
【請求項２】
MAP-Any-Time-Modification要求メッセージを、前記MAPシグナリングの前記要求メッセージとして使用することをさらに含む、請求項1に記載の方法。
【請求項３】
前記情報要素は、メッセージゲートウェイエンティティパラメータの修正要求に含まれる、請求項2に記載の方法。
【請求項４】
前記メッセージゲートウェイエンティティに関連する前記アドレスデータは、別々の情報要素として前記要求メッセージに含まれる、請求項1から3のいずれかに記載の方法。
【請求項５】
前記メッセージゲートウェイエンティティに関連する前記アドレスデータは、前記メッセージゲートウェイエンティティ関連情報用に再利用される既存の情報要素に関連して、前記要求メッセージに含まれる、請求項1から3のいずれかに記載の方法。
【請求項６】
前記メッセージゲートウェイエンティティに関連する前記情報要素は、前記メッセージゲートウェイエンティティが通信ネットワークのコアネットワーク制御要素の機能性を提供するように構成されるか否かを示す情報要素をさらに含む、請求項1から5のいずれかに記載の方法。
【請求項７】
前記メッセージゲートウェイエンティティに接続された宛先にデータメッセージを伝送するための経路情報要求に対して、前記加入者データベースより応答するために、前記保存された登録情報および情報要素を使用することは、
前記メッセージゲートウェイ要素に関連する前記登録情報および情報要素を、経路情報の前記要求に応じて独占的に送信することを含む、請求項1から6のいずれかに記載の方法。
【請求項８】
前記メッセージゲートウェイエンティティに接続された宛先にデータメッセージを伝送するための経路情報要求に対して、前記加入者データベースより応答するために、前記保存された登録情報および情報要素を使用することは、
前記メッセージゲートウェイ要素に関連する前記登録情報および情報要素、ならびに前記通信ネットワークに存在する少なくとも1つのコアネットワーク制御要素に関連する登録情報およびアドレスデータを、経路情報の前記要求に応じて送信することを含む、
請求項1から6のいずれかに記載の方法。
【請求項９】
登録解除手順を実行することと、
登録解除情報を含む要求メッセージを、前記メッセージゲートウェイエンティティから前記加入者データベースに、MAPシグナリングを使用して送信することであって、前記要求メッセージは、前記メッセージゲートウェイエンティティに関連する登録解除データを含む情報要素をさらに含むことと、
前記保存された登録情報および情報要素を前記加入者データベースから削除することと、
前記要求メッセージに対する前記登録解除の完了を示す応答メッセージを、前記加入者データベースから前記メッセージゲートウェイ要素に送信することと、
をさらに含む、請求項1から8のいずれかに記載の方法。
【請求項１０】
MAP-Any-Time-Modification要求メッセージを、前記MAPシグナリングの前記要求メッセージとして使用することをさらに含む、請求項9に記載の方法。
【請求項１１】
前記情報要素は、メッセージゲートウェイエンティティパラメータの修正要求に含まれる、請求項10に記載の方法。
【請求項１２】
通信ネットワークにおいてデータメッセージの伝送用に使用可能であるメッセージゲートウェイエンティティであって、
・  登録手順に関与しうると共に、
・  MAPシグナリングを使用して、登録情報を含む要求メッセージを加入者データベースに送信しうる
ように接続および構成され、さらに、前記メッセージゲートウェイエンティティに関連する登録およびアドレスデータを含む情報要素を前記要求メッセージに含めるように構成される、メッセージゲートウェイエンティティ。
【請求項１３】
前記MAPシグナリングの前記要求メッセージとしてMAP-Any-Time-Modification要求メッセージを使用するように構成される、請求項12に記載のメッセージゲートウェイエンティティ。
【請求項１４】
メッセージゲートウェイエンティティパラメータの修正要求に前記情報要素を含めるように構成される、請求項13に記載のメッセージゲートウェイエンティティ。
【請求項１５】
前記メッセージゲートウェイエンティティに関連する前記アドレスデータを、別の情報要素として前記要求メッセージに含めるように構成される、請求項12から14のいずれかに記載のメッセージゲートウェイエンティティ。
【請求項１６】
前記メッセージゲートウェイエンティティに関連する前記アドレスデータを、前記メッセージゲートウェイエンティティに関する情報のために再利用される既存の情報要素に関連して、前記要求メッセージに含めるように構成される、請求項12から14のいずれかに記載のメッセージゲートウェイエンティティ。
【請求項１７】
前記メッセージゲートウェイエンティティが通信ネットワークのコアネットワーク制御要素の機能性を提供するように構成されるか否かを示す情報要素を、前記メッセージゲートウェイエンティティに関連する前記情報要素に導入するように構成される、請求項12から16のいずれかに記載のメッセージゲートウェイエンティティ。
【請求項１８】
前記メッセージゲートウェイエンティティは、
・  登録解除手順に関与し、
・  MAPシグナリングを使用して、登録解除情報を含む要求メッセージを前記加入者データベースに送信し、前記要求メッセージは、前記メッセージゲートウェイエンティティに関連する登録解除データを含む情報要素をさらに含み、
・  前記要求メッセージに対する前記登録解除の完了を示す応答メッセージを、前記加入者データベースから受信する、
ように構成される、請求項12から14のいずれかに記載のメッセージゲートウェイエンティティ。
【請求項１９】
前記MAPシグナリングの前記要求メッセージとしてMAP-Any-Time-Modification要求メッセージを使用するように構成される、請求項18に記載のメッセージゲートウェイエンティティ。
【請求項２０】
メッセージゲートウェイエンティティパラメータの修正要求に前記情報要素を含めるように構成される、請求項19に記載のメッセージゲートウェイエンティティ。
【請求項２１】
通信ネットワークにおいてデータメッセージの伝送を制御するために使用可能である加入者データベース（Home Subscriber Database）であって、
・  MAPシグナリングによって、登録情報を含む要求メッセージをメッセージゲートウェイエンティティから受信し、ただし前記要求メッセージは前記メッセージゲートウェイエンティティに関連する登録およびアドレスデータを含む情報要素をさらに含み、
・  登録手順を実行するために、前記登録情報および情報要素を前記加入者データベースに保存し、
・  前記メッセージゲートウェイエンティティに接続される宛先にデータメッセージを伝送するための経路情報要求に対して応答するために、前記保存された登録情報および情報要素を使用しうる、
ように接続および構成される、加入者データベース。
【請求項２２】
MAP-Any-Time-Modification要求メッセージが前記MAPシグナリングの前記要求メッセージとして使用される、請求項21に記載の加入者データベース。
【請求項２３】
前記情報要素は、メッセージゲートウェイエンティティパラメータの修正要求に含まれる、請求項22に記載の加入者データベース。
【請求項２４】
前記メッセージゲートウェイエンティティに関連する前記アドレスデータは、別の情報要素として前記要求メッセージに含められる、請求項21から23のいずれかに記載の加入者データベース。
【請求項２５】
前記メッセージゲートウェイエンティティに関連する前記アドレスデータは、前記メッセージゲートウェイエンティティに関する情報のために再利用される既存の情報要素に関連して、前記要求メッセージに含められる、請求項21から23のいずれかに記載の加入者データベース。
【請求項２６】
前記メッセージゲートウェイエンティティに関連する前記情報要素の一部から、前記メッセージゲートウェイエンティティが通信ネットワークのコアネットワーク制御要素の機能性を提供するように構成されているか否かを認識するように構成される、請求項21から25のいずれかに記載の加入者データベース。
【請求項２７】
前記メッセージゲートウェイ要素に関連する前記登録情報および情報要素を、前記経路情報要求に応じて独占的に送信するように構成される、請求項21から26のいずれかに記載の加入者データベース。
【請求項２８】
前記メッセージゲートウェイ要素に関連する前記登録情報および情報要素を前記経路情報要求に応じて送信し、前記通信ネットワークに存在する少なくとも1つのコアネットワーク制御要素に関連する登録情報およびアドレスデータを前記経路情報要求に応じて送信するように構成される、請求項21から26のいずれかに記載の加入者データベース。
【請求項２９】
前記メッセージゲートウェイ要素が通信ネットワークのコアネットワーク制御要素の機能性を提供するように構成されているという情報を、この情報が前記メッセージゲートウェイエンティティに関連する前記情報要素の前記部分から認識される場合に、前記経路情報要求に応じて送信するように構成される、請求項27から28のいずれかに記載の加入者データベース。
【請求項３０】
・  登録解除手順を実行し、
・  MAPシグナリングによって、登録解除情報を含む要求メッセージを、前記メッセージゲートウェイエンティティから受信し、ただし前記要求メッセージは前記メッセージゲートウェイエンティティに関連する登録解除データを含む情報要素をさらに含み、
・  前記保存された登録情報および情報要素を削除し、
・  前記登録解除の完了を示す応答メッセージを前記メッセージゲートウェイ要素に送信する、
ようにさらに構成される、請求項21から29のいずれかに記載の加入者データベース。
【請求項３１】
前記MAPシグナリングの前記要求メッセージとしてMAP-Any-Time-Modification要求メッセージが使用される、請求項30に記載の加入者データベース。
【請求項３２】
前記情報要素は、メッセージゲートウェイエンティティパラメータの修正要求に含まれる、請求項31に記載の加入者データベース。
【請求項３３】
通信ネットワークにおけるデータメッセージの伝送を制御するためのシステムであって、
・  前記データメッセージの宛先としての受信部と、
・  前記通信ネットワークにおいてデータメッセージの伝送用に使用可能であるメッセージゲートウェイエンティティであって、登録手順に関与しうると共に、MAPシグナリングを使用して、登録情報を含む要求メッセージを加入者データベースに送信しうるように接続および構成され、さらに該メッセージゲートウェイエンティティに関連する登録およびアドレスデータを含む情報要素を前記要求メッセージに含めるように構成される、メッセージゲートウェイエンティティと、
・  前記通信ネットワークにおいてデータメッセージの伝送を制御するために使用可能である前記加入者データベースであって、MAPシグナリングによって登録情報を含む要求メッセージを前記メッセージゲートウェイエンティティから受信し、登録手順を実行するために前記登録情報および情報要素を前記加入者データベースに保存し、前記メッセージゲートウェイエンティティに接続される宛先にデータメッセージを伝送するための経路情報要求に対して応答するために、前記保存された登録情報および情報要素を使用しうるように接続および構成され、前記要求メッセージは前記メッセージゲートウェイエンティティに関連する登録およびアドレスデータを含む情報要素をさらに含む、前記加入者データベースと、
を備えるシステム。
【請求項３４】
コンピュータ可読媒体において具現化されるコンピュータプログラムであって、通信ネットワークにおけるデータメッセージの伝送に使用可能なメッセージゲートウェイエンティティの機能を実現するためのソフトウェアコード部分を含み、
・  登録手順に関与することと、
・  MAPシグナリングを使用して、登録情報を含む要求メッセージを加入者データベースに送信することと、
・  加入者の呼管理の制御に使用可能な前記メッセージゲートウェイエンティティ制御要素に関連する登録およびアドレスデータを含む情報要素を、前記要求メッセージに含むことと、
を実行するように、コンピュータを制御するように構成される、コンピュータプログラム。
【請求項３５】
コンピュータ可読媒体において具現化されるコンピュータプログラムであって、通信ネットワークにおけるデータメッセージの伝送を制御するために使用可能な加入者データベースの機能を実現するソフトウェアコード部分を含み、
・  MAPシグナリングによって、登録情報を含む要求メッセージをメッセージゲートウェイエンティティから受信すること、ただし前記要求メッセージは、前記メッセージゲートウェイエンティティに関連する登録およびアドレスデータを含む情報要素をさらに含む、ことと、
・  登録手順を実行するために、前記登録情報および情報要素を保存することと、
・  前記メッセージゲートウェイエンティティに接続される宛先にデータメッセージを伝送するための経路情報要求に対して応答するために、前記保存された登録情報および情報要素を使用することと、
を実行するように、コンピュータを制御するように構成される、コンピュータプログラム。
【請求項３６】
前記データメッセージは、ショートメッセージサービスのショートメッセージである、請求項1から11のいずれかに記載の方法。
【請求項３７】
前記データメッセージは、ショートメッセージサービスのショートメッセージである、請求項12から20のいずれかに記載のメッセージゲートウェイエンティティ。
【請求項３８】
前記データメッセージは、ショートメッセージサービスのショートメッセージである、請求項21から32のいずれかに記載の加入者データベース。
【発明の詳細な説明】
【技術分野】
【０００１】
本発明は、データメッセージ、特に、通信ネットワークにおけるショートメッセージサービス（Short Message Service; SMS）のショートメッセージの伝送を制御するための機構に関する。具体的には、本発明は、登録手順によりもたらされる対応する経路情報を提供することによって、メッセージ伝送の制御に使用可能な外部ショートメッセージゲートウェイエンティティ（short message gateway entity; SM-GW）、対応するメッセージゲートウェイエンティティ、加入者位置情報レジスタ（Home Location Register; HLR）または加入者サーバ（Home Subscriber Server; HSS）などの対応する加入者データベース（Home Subscriber Database）、対応するシステム、ならびに対応するコンピュータプログラムによって、ユーザ機器（User Equipment; UE）へのデータメッセージの伝送を制御する方法に関する。
【０００２】
後述する本発明において、以下の事項について留意されたい。
・  ユーザ機器は、例えば、ユーザが通信ネットワークにアクセスできる任意の装置であってもよい。これは、基盤となる技術プラットフォームに依存しない携帯型ならびに非携帯型の装置やネットワークを意味する。ほんの一例として、第3世代パートナーシッププロジェクト（3rd Generation Partnership Project; 3GPP）によって標準化される原理に基づき操作され、例えばUMTS端末として既知である通信機器が、本発明に関連する使用に特に適していることに留意されたい。
・  本明細書においてショートメッセージについて言及したが、これは、特定のコンテンツを有するメッセージタイプに関する具体例のみを例示している。本発明で使用されるコンテンツは、音声、映像、画像、および／またはテキストデータ、あるいはその組み合わせの属性を記述している音声データ、映像データ、画像データ、テキストデータ、およびメタデータのうちの少なくとも1つのマルチメディアデータ、あるいは、さらなる例として、アクセス／ダウンロードされるアプリケーションプログラムのプログラムコードなどのその他のデータも、代替的または付加的に意味するように意図される。
・  ソフトウェアコード部分として実装されると考えられ、また、本明細書で後述されるエンティティのうちの1つにおいてプロセッサを使用して実行される方法ステップは、ソフトウェアコードに依存せず、任意である既知または今後開発されるプログラミング言語を使用して特定可能である。 
・  エンティティのうちの1つにおいてハードウェアコンポーネントとして実装されうる方法ステップおよび／または装置は、ハードウェアに依存せず、任意である既知または今後開発されるハーアドウェア技術またはMOS、CMOS、BiCMOS、ECL、TTL、などの任意のハイブリッドを使用して、例えばASICコンポーネントまたはDSPコンポーネントを使用して実装可能である。
・  概して、方法中のいかなる段階も、本発明の概念を変更することなく、ソフトウェアとしてまたはハードウェアによって実装されることに適切である。 
・  装置または手段は、個々の装置または手段として実装可能であるが、装置の機能性が維持される限りは、分散方式によってシステムに実装されることを除外しない。
【背景技術】
【０００３】
総合デジタル通信網（Integrated Services Digital Network; ISDN）などの有線ベースの通信ネットワーク、または、cdma2000（符号分割多元接続）方式、ユニバーサル移動電気通信システム（Universal Mobile Telecommunications System; UMTS）のようなセルラ第3世代（3G）通信ネットワーク、移動通信用グローバルシステム（Global System for Mobile communications; GSM）のようなセルラ第2世代（2G）通信ネットワーク、汎用パケット無線システム（General Packet Radio System; GPRS）、グローバルエボルーション用拡張データ速度（Data Rates for Global Evolution; EDGE）などの無線通信ネットワーク、または、無線ローカルエリアネットワーク（Wireless Local Area Network; WLAN）などのその他の無線通信システムなどの通信ネットワークが、ここ数年で世界中において急速に拡大している。第3世代パートナーシッププロジェクト（3rd Generation Partnership Project; 3GPP）、国際電気通信連合（International Telecommunication Union; ITU）、第3世代パートナーシッププロジェクト2（3rd Generation Partnership Project 2; 3GPP2）、インターネットエンジニアリングタスクフォース（Internet Engineering Task Force; IETF）などの種々の組織は、電気通信ネットワークおよび多重アクセス環境の標準化に取り組んでいる。
【０００４】
通常、通信ネットワークのシステム構造は、一加入者、例えば、移動局、携帯電話機、固定電話機、パーソナルコンピュータ（PC）、ノートパソコン、または携帯情報端末（PDA）などの加入者通信機器が、送受信機や、無線インターフェースまたは有線インターフェースなどのインターフェースを介してアクセスネットワークサブシステムに接続されるようになっている。アクセスネットワークサブシステムは、通信機器を出入りする通信接続を制御し、対応するコアネットワークまたはバックボーンネットワークサブシステムにインターフェースを介して接続される。コア（またはバックボーン）ネットワークサブシステムは、別の通信機器、サービスプロバイダ（サーバ／プロキシ）、または別の通信ネットワークなどの宛先の加入者に通信接続を介して伝送されるようにデータを交換する。コアネットワークサブシステムは、複数のアクセスネットワークサブシステムに接続されてもよいことに留意されたい。当業者に既知であるように、また、例えばUMTSまたはGSMなどの各仕様に規定されるように、実際のネットワーク構造は、使用される通信ネットワークに応じて変化してもよい。
【０００５】
通常、ユーザ機器（または加入者端末）などのネットワーク要素と、別の通信機器または端末、データベース、サーバなどとの通信接続を適切に確立および処理するには、ネットワーク制御要素、サポートノード、またはサービスノードなどの1つ以上の中間ネットワーク要素を伴う。移動交換局（Mobile Switching Center; MSC）またはサービングGPRSサポートノード（Serving GPRS Support Node; SGSN）などのネットワーク制御要素は、呼設定、呼制御、および呼終了などの制御に関与する。
【０００６】
回線交換（CS）ネットワーク、パケット交換（PS）ネットワーク、およびIPマルチメディアサブシステム（IP Multimedia Subsystem; IMS）などのインターネットプロトコル（IP）ベースのネットワークなどの、ますます多くの通信ネットワークシステムが並行して確立されているため、加入者の連続的な呼またはSMSなどのメッセージ交換を可能にするこれらのネットワークシステム間の相互接続を提供することによって、関連性が増加する。これに関して、例えば、伝送メッセージが確実に宛先に経路指定されることが必要である。
【０００７】
2Gまたは3G電気通信ネットワーク（GSM/UMTS）などの3GPPベースのネットワークの場合、対応するGSM/UMTSコアネットワークにおける移動機へのショートメッセージの伝送は、現在のところ、MSCまたはSGSNを介してのみ、ショートメッセージを加入者に対して経路指定することが可能である。経路情報は、通常、コアネットワーク要素によって、HLRまたはHSSなどのデータベースから取り込まれる。
【０００８】
しかしながら、ショートメッセージの送信をいくつかの外部の（GSM/UMTS コアネットワークの視点から）ゲートウェイを使用しても可能であるという要件が出てきている。このような要件の例は、3GPP仕様TS 23.204（一般的3GPP IPアクセスにおけるSMSおよびMMSのサポート）、Vl.0.0に挙げられる。
【０００９】
この文書において、IMS能力を使用して、一般的なIP接続アクセスネットワーク（IP Connectivity Access Network; IP-CAN）上のSMSに対応するために必要な能力および強化が特定されている。具体的には、IPショートメッセージゲートウェイ（IP Short Message Gateway; IP-SM-GW）の利用について説明され、このIPショートメッセージゲートウェイは、IPベースのUEとショートメッセージサービスセンター（Short Message Service Centre; SMSC）との間のショートメッセージの配信に相互作用するプロトコルを提供する。この要素の機能は、この要素がMSCまたはSGSNとしてSMS-GMSCに存在するゲートウェイMSC（Gateway MSC; GMSC）に接続することと、この要素がMSCまたはSGSNとしてSMS-IWMSCに存在するSMS相互作用MSC（SMS Interworking MSC; SMS-IWMSC）に、確立されたプロトコルを使用して接続することと、IMSメッセージングをトランスポートとして使用してUEと通信すると共に、SMSメッセージのフォーマットおよび機能性を維持することと、MSISDNと端末のIPアドレスとの間の関係に関する認識を取得することと、IMSコアに対してアプリケーションサーバ（Application Server; AS）として作用することである。一般的なIPアクセスにおいてこのようなSMSに対応するためには、HSSは、IP-SM-GWのアドレスを保存し、それを「ショートメッセージの送信経路情報」手順の一部として提供し、SMSを配信するために、端末がIP-SM-GWに登録されていることを示すような機能に対応しなければならない。「SendRoutinglnfoForShortMsg」要求に応答してIP-SM-GWのアドレスを返送可能にするには、HSSは、端末がIPショートメッセージゲートウェイに登録されていること、ならびにこれがショートメッセージ配信の好適な方法であることを示す必要がある。IP-SM-GWは、IMSにおけるUEの登録状態に関して報告を受ける。登録時に、IP-SM-GWは、UEの登録が成功したことを示すメッセージをHSSに送信する。
【００１０】
TS23.204 仕様に基づくUEおよび IP-SM-GWの登録または登録解除手順によれば、登録（登録解除）のためのShインターフェース上でのIP-SM-GW登録（登録解除）要求およびIP-SM-GW登録（登録解除）応答の使用が明記されている。Shインターフェースは、IP-SM-GWとHSSとの間に設けられ、ユーザがIMS上でSMSを受信可能であることについてHSSが報告を受けられるようにする。MSCまたは SGSNアドレスは、位置更新などに関連してHLRにおいて更新される。
【００１１】
しかしながら、3GPP標準では、HLRとHSSを「区別」しない。これは、3GPPに基づくHSSは、両方の機能性一式を備えることを意味する。しかしながら、実際のところ、HLRとHSSが異なるネットワーク要素であることが可能であり、またよくあることである。したがって、当技術において規定されるように、IP-SM-GWアドレスがShインターフェースを介してHSSに送信される場合、そのアドレスをさらにHLRに配信するための専用の解決手段を提供する必要がある。このアドレスは、HLRにおいて特に必要であることに留意されたい。さらに、Shインターフェースは、ダイアメータ（Diameter）プロトコルに基づくため、ベンダー独自のダイアメータアプリケーションになる。したがって、ネットワーク構造は、より複雑になり、より高価になる。
【発明の開示】
【００１２】
したがって、本発明の目的は、通信ネットワークにおけるメッセージ伝送を制御するための改良型の機構を提供することにある。具体的には、本発明の目的は、外部メッセージゲートウェイエンティティを介したユーザ機器へのデータメッセージを可能にする機構を提供することにあり、ここで、必要とされる経路情報は、適切な方法で利用可能になる。
【００１３】
本目的は、添付の特許請求の範囲によって規定される手段によって達成される。
【００１４】
具体的には、提案された解決手段の一側面によると、例えば、通信ネットワークにおいてデータメッセージの伝送を制御する方法であって、登録手順を実行することと、MAP（Mobile Application Part）シグナリングを使用することによって、登録情報を含む要求メッセージを、メッセージゲートウェイエンティティ（Message Gateway Entity）から加入者データベース（Home Subscriber Database）に送信することであって、要求メッセージは、メッセージゲートウェイエンティティに関連する登録およびアドレスデータを含む情報要素をさらに含むことと、登録情報および情報要素を加入者データベースに保存することと、メッセージゲートウェイエンティティに接続される宛先にデータメッセージを伝送するための経路情報要求に対して、加入者データベースより応答するために、保存された登録情報および情報要素を使用することと、を含む方法が提供される。
【００１５】
さらに、提案された解決手段の一側面によると、例えば、通信ネットワークにおいてデータメッセージの伝送用に使用可能であるメッセージゲートウェイエンティティであって、登録手順に関与しうると共に、MAPシグナリングを使用して登録情報を含む要求メッセージを加入者データベースに送信しうるように接続および構成される、メッセージゲートウェイエンティティが提供される。このメッセージゲートウェイエンティティはさらに、メッセージゲートウェイエンティティに関連する登録およびアドレスデータを含む情報要素を要求メッセージに含めるように構成される。
【００１６】
さらに、提案された解決手段の一側面によると、例えば、通信ネットワークにおいてデータメッセージの伝送を制御するために使用可能である加入者データベース（Home Subscriber Database ；例えばHLR）であって、MAPシグナリングによって登録情報を含む要求メッセージをメッセージゲートウェイエンティティから受信し、登録手順を実行するために登録情報および情報要素を加入者データベースに保存し、メッセージゲートウェイエンティティに接続される宛先にデータメッセージを伝送するための経路情報要求に対して応答すべく保存された登録情報および情報要素を使用しうるように接続および構成される、加入者データベースが提供される。ここで、上記要求メッセージは、メッセージゲートウェイエンティティに関連する登録およびアドレスデータを含む情報要素をさらに含む。
【００１７】
また、提案された解決手段の一側面によると、例えば、コンピュータ用のコンピュータプログラムであって、前記コンピュータ上で実行される場合に、前記コンピュータを、通信ネットワークにおけるデータメッセージの伝送に使用可能なメッセージゲートウェイエンティティとして機能させるようなソフトウェアコード部分を含み、登録手順に関与することと、MAPシグナリングを使用して、登録情報を含む要求メッセージを加入者データベースに送信することと、加入者の呼管理の制御に使用可能な前記メッセージゲートウェイエンティティ制御要素に関連する登録およびアドレスデータを含む情報要素を、前記要求メッセージに含むことと、を実行するように構成される、コンピュータプログラムが提供される。
【００１８】
同様に、提案された解決手段の一側面によると、例えば、コンピュータ用のコンピュータプログラムであって、前記コンピュータ上で実行される場合に、前記コンピュータを、通信ネットワークにおけるデータメッセージの伝送を制御するために使用可能な加入者データベースとして機能させるようなソフトウェアコード部分を含み、MAPシグナリングによって、登録情報を含む要求メッセージをメッセージゲートウェイエンティティから受信することと、登録手順を実行するために、前記登録情報および情報要素を保存することと、前記メッセージゲートウェイエンティティに接続される宛先にデータメッセージを伝送するための経路情報要求に対して応答するために、前記保存された登録情報および情報要素を使用することと、を実行するように構成される、コンピュータプログラムが提供される。ただし、上記要求メッセージは、前記メッセージゲートウェイエンティティに関連する登録およびアドレスデータを含む情報要素をさらに含む。
【００１９】
さらなる改良によると、提案された解決手段は、以下の特徴のうちの1つ以上を含んでもよい。
・  MAP-Any-Time-Modification要求メッセージは、前記MAPシグナリングの前記要求メッセージとして使用されてもよい。
・  前記情報要素は、メッセージゲートウェイエンティティパラメータの修正要求に含まれてもよい。
・  前記メッセージゲートウェイエンティティに関連する前記アドレスデータは、別々の情報要素として前記要求メッセージに含まれてもよく、あるいは前記メッセージゲートウェイエンティティに関連する前記アドレスデータは、前記メッセージゲートウェイエンティティ関連情報用に再利用される既存の情報要素に関連して、前記要求メッセージに含まれてもよい。
・  前記メッセージゲートウェイエンティティに関連する前記情報要素は、前記メッセージゲートウェイエンティティが通信ネットワークのコアネットワーク制御要素の機能性を提供するように構成されるか否かを示す情報要素をさらに含んでもよい。
・  前記メッセージゲートウェイエンティティに接続される宛先にデータメッセージを伝送するための経路情報要求に対して、前記加入者データベースより応答するために、前記保存された登録情報および情報要素を使用することについて、前記メッセージゲートウェイ要素に関連する前記登録情報および情報要素のみが、経路情報の前記要求に応じて送信されてもよく、あるいは、前記メッセージゲートウェイエンティティに接続される宛先にデータメッセージを伝送するための経路情報要求に対して、前記加入者データベースより応答するために、前記保存された登録情報および情報要素を使用することについて、前記メッセージゲートウェイ要素に関連する前記登録情報および情報要素、ならびに前記通信ネットワークに存在する少なくとも1つのコアネットワーク制御要素に関連する登録情報およびアドレスデータが、経路情報の前記要求に応じて送信されてもよい。
・  登録解除手順を実行する際、登録解除情報を含む要求メッセージは、MAPシグナリングを使用して、前記メッセージゲートウェイエンティティから前記加入者データベースに送信されてもよく、前記要求メッセージは、前記メッセージゲートウェイエンティティに関連する登録解除データを含む情報要素をさらに含み、前記保存された登録情報および情報要素は、前記加入者データベースから削除されてもよく、前記要求メッセージに対する前記登録解除の完了を示す応答メッセージは、前記加入者データベースから前記メッセージゲートウェイ要素に送信されてもよく、また、MAP-Any-Time-Modification要求メッセージを、MAPシグナリングの前記要求メッセージとして使用してもよく、さらに、上記情報要素は、メッセージゲートウェイエンティティパラメータの修正要求に含まれてもよい。
・  上記データメッセージは、ショートメッセージサービスのショートメッセージであってもよい。
【００２０】
上記提案された解決手段により、次の利点が達成可能になる。回線交換（Circuit Switched; CS）ルーティングやパケット交換（Packet Switched: PS）ルーティングなどの現在利用可能である機構以外のその他の経路指定機構も利用して、移動機へのSMを送信することが可能である。本発明に従う外部SM-GWは、どのような外部ゲートウェイであってもよく、TS 23.204に規定されるようなIPベースのIP-SM-GWに限られない。さらに、本発明に従う機構は、その他の目的のために利用されることができる。例えば、訪問先のネットワークに送信する前に、MT-SMをいくつかの外部ノードを介して経路指定する必要性が存在する場合などに使用してもよい。これは、ショートメッセージなどのメッセージが、外部ゲートウェイに経路指定されうることを意味している。例えば、SMSを送信する前に、確認または別の処置を取るためにこのようなことが起こりうる。これにより、例えば、SMS転送、受信者の変更、ショートメッセージのスパムに関するショートメッセージの確認（また、スプーク（spook）、スプーフ（spoof）、または偽ショートメッセージの確認）、およびそのフィルタリングなどの新しい能力が提供され、また、スプーフおよび偽SMSの妨害ポイントなどが提供されうる。
【００２１】
外部SM-GWアドレスの登録／登録解除に関して既に規定されたMAP-ANY-TIME-MODIFICATIONサービスを使用することによって、特にHLRが既にMAP-ANY-TIME-MODIFICATIONサービスに対応する場合に、HLRにおける実装が容易になる。しかしながら、必要な性能を提供する新しいMAPサービスを利用することも可能である。
【００２２】
前述のように、3GPPでは、HLRとHSSを「区別」しないが、実際のところ、これらの機能は、異なるネットワーク要素として存在してもよい。本発明に従う登録／登録解除のための前記機構を使用することによって、つまり、データを直接HLRに送信するMAPプロトコル（SS7スタック）を使用することによって、システムをより複雑にする専用の解決手段を提供する必要がなくなる。さらに、ネットワークの負荷を増大させるような更なるシグナリングなどを行なわずに、データがHLRにおいて直接利用可能である。
【００２３】
本発明に関する上記およびさらなる目的、特徴、および利点は、説明および添付の図面を参照することによってさらに明白になるだろう。
【図面の簡単な説明】
【００２４】
【図１】本発明に従う機構が適用可能である簡易化ネットワーク構造を示すブロック図である。
【００２５】
【図２ａ】本発明に従う機構において使用される登録手順を示すフローチャートである。
【００２６】
【図２ｂ】本発明に従う機構において使用される登録解除手順を示すフローチャートである。
【００２７】
【図３】本発明に従う登録手順を示すメッセージフロー図である。
【００２８】
【図４】本発明に従う登録解除手順を示すメッセージフロー図である。
【００２９】
【図５】本発明に従う機構によって制御されるメッセージ配信手順を示すメッセージフロー図である。
【００３０】
【図６ａ】本発明を示す例に使用されるMAPメッセージコンテンツにおける、パラメータ変化の例を示す。
【図６ｂ】本発明を示す例に使用されるMAPメッセージコンテンツにおける、パラメータ変化の例を示す。
【００３１】
【図７】MAP-ANY-TIME-MODIFICATION手順のメッセージフローを示す。
【好適な実施形態の説明】
【００３２】
図面を参照して、本発明の実施形態について以下に説明する。本発明を例示するために、3GPP仕様に基づく移動アクセスネットワークサブシステムおよびコアネットワークサブシステムの構成要素を備える3Gネットワーク環境において、ならびにIMSネットワーク環境において、好適な実施形態を説明する。しかしながら、本発明は、このようなネットワーク環境における適用に限定されず、その他のネットワークタイプ、具体的には、メッセージゲートウェイエンティティのタイプと、それと関係するネットワークタイプに関して、一般的に、適用可能であることに留意されたい。
図1において、通信ネットワークの基本ネットワーク環境に関する略ブロック図が示される。図1に係る構造は、本発明が適用可能である通信ネットワーク環境のアーキテクチャに関する、簡素化されたほんの一例を表すことに留意されたい。当業者に既知であるように、通信接続に使用されるいくつかの付加的なネットワーク要素および信号リンクが設けられる。しかしながら、簡素化するために、本発明の説明に必要なこれらの要素のみが図示される。
【００３３】
さらに、本明細書に記載されるネットワーク要素およびその機能は、コンピュータ用のコンピュータプログラムなどのソフトウェアによって、またはハードウェアによって実装されてもよい。いずれの場合においても、そのそれぞれの機能を実行するために、通信機器、移動交換局（MSC）および関連機能のようなコアネットワーク制御要素、無線アクセスネットワーク（Radio Access Network; RAN）要素のようなアクセスネットワークサブシステム要素、外部SM-GWなどのメッセージゲートウェイエンティティなどの適宜使用される装置は、いくつかの手段および構成要素（図示せず）を備える。これらの手段および構成要素は、制御、処理、および通信／シグナリングの機能性に必要とされる。このような手段には、例えば、命令およびプログラムを実行し、データを処理するためのプロセッサ装置、プロセッサの作動範囲としての役割を果たすための命令、プログラム、およびデータを保存するためメモリ手段、および同様なもの（例えば、ROM、RAM、EEPROMなど）、ソフトウェアによってデータと命令を入力するための入力手段（例えば、フレキシブルディスク、CD-ROM、EEPROMなど）、ユーザが監視および操作可能になるユーザーインターフェース手段（例えば、画面、キーボードなど）、プロセッサ装置の制御下でリンクおよび／または接続を確立するためのインターフェース手段（例えば、有線および無線インターフェース手段、アンテナなど）などを含んでもよい。それと同様に、IMSドメインなどの外部SM-GWと関連付けられた第2のネットワーク環境は、図示されないいくつかの要素および／または機能性を備えてもよいが、当業者に既知であるため本明細書においてさらに詳しく説明しない。
【００３４】
図1において、参照符号1は、ショートメッセージなどのメッセージを送受信するためにネットワークと通信するユーザ機器を示す。具体的には、以下の説明は、移動機へのショートメッセージの送信を対象とする。
【００３５】
参照符号2は、通信ネットワークにアクセスを提供するための、アクセスネットワークシステム／コアネットワークシステムを示す。アクセスネットワークシステム／コアネットワークシステム2は、例えば、いくつかの呼状態制御機能（CSCF）、具体的には、Proxy-CSCF（P-CSCF）およびServing-CSCF（S-CSCF）を備えるIMSシステムであってもよい。通常、アクセスネットワークシステム／コアネットワークシステム2は、S-CSCFなどの通信制御機能性を有する少なくとも1つのエンティティを備え、HSSまたはHLRなどのネットワークデータベースと移動性に関して相互作用し、移動（UE）登録を管理し、接続またはセッションを維持し、その他のサービスと相互作用する。
【００３６】
参照符号3は、外部SM-GWなどの、外部メッセージゲートウェイエンティティを示す。本要素の機能は、通常、メッセージ、具体的にはSMを、アクセスネットワークシステム／コアネットワークシステム2を介してUEに送信することである。本目的において、本要素は、ゲートウェイMSC（GMSC）7に接続されるように構成され、確立されたMAPプロトコルを使用してSMS相互作用MSC（SMS-IWMSC）7に接続されるように構成され（図1において、SMS-GMSCおよびSMS-IWMSCは、一要素に一体化されているが、別々の要素であることも可能である）、アクセスネットワークシステム／コアネットワークシステム2によって提供されるトランスポート機構を使用してUEと通信すると共にSMSメッセージのフォーマットおよび機能性を維持するように構成され、MSISDNと端末のネットワークアドレスの間の関係に関する認識を取得するように構成され、ならびにアクセスネットワークシステム／コアネットワークシステム2に対してアプリケーションサーバ（AS）として作用するように構成される。さらに、本要素は、例えば、登録および加入のために、HSSまたはHLRなどの加入者データベース6に接続される。外部SM-GWおよびHSS／HLR 6を接続するインターフェースは、例えば、GSMサービスコントロール機能（GSM Service Control Function; gsmSCF）とHSS/HLRの間で規定されるJインターフェースである。gsmSCFは、移動ネットワークのインテリジェントネットワーク（Intelligent Network; IN）制御環境を規定し、GSM/GPRSシステムなどとの相互作用を可能にするように強化されている。また、gsmSCFは、INサービスに関連するサービス論理を保存する。
【００３７】
SMS-GMSC/SMS-IWMSC 7は、E/Gdインターフェースによって外部SM-GWに接続される。このインターフェースにより、MAPを使用して外部SM-GWはSMS-GMSCに接続可能になる。任意により、外部SM-GWは、MSCまたはSGSNの機能性を備えることが可能である。この場合、E/Gdインターフェースによって、外部SM-GWがMSCまたはSGSNとしてSMS-GMSCに存在することが可能になる。SMS-GMSC/SMS-IWMSC 7とHSS/HLR 7との接続は、例えば、C'インターフェースによってもたらされ、メッセージの転送時に経路情報を取得する。C'インターフェースによって、MSCおよび／またはSGSNアドレスならびに／もしくはSM-GWアドレスの他に、外部SM-GWアドレスを経路情報としてHLRがSMS-GMSC 7に返送可能になる。
【００３８】
参照符号8は、ショートメッセージサービス局（SMSC）を示し、このSMSCは、ショートメッセージの伝送を制御し、それらを宛先アドレスに転送する。参照符号9は、ショートメッセージエンティティ（SME）を示し、このSMEは、ショートメッセージを送受信してもよい（例えば、別のUE、アプリケーションサーバ、または別のSMSCなど）。
【００３９】
図1には示されないが、外部SM-GWは、充電に使用されるデータ伝送用のネットワークの充電要素にも接続されてもよい。図1のネットワークにおける本発明に従う登録手順を、図2aおよび3に関連して以下に説明し、図1のネットワークにおける本発明に従う登録解除手順を、図2bおよび4に関連して以下に説明する。
【００４０】
まず、本発明に従うメッセージ伝送制御方法における登録手順について、図2aおよび3に関連して説明する。
【００４１】
UEがネットワークに対して通信接続を開始すると、UE 1とアクセスNWシステム／コアNWシステム2との間で第1の接続が確立される（図2aのステップS110、図3のステップS1）。例えば、アクセスNWシステム／コアNWシステム2がIMSである場合、IP接続がまず確立される。第1の接続確立後のいずれかの時点において、UE1は、対応するネットワークにおけるUEの登録手順に基づき、アクセスNWシステム／コアNWシステム2の通信制御機能要素、例えばS-CSCFに登録する（図2aのステップ120、図3のステップS2）。これらの登録手順は当業者に既知であるため、その詳細については省略する。さらに、簡略化するため、UEと制御機能要素（例えば、S-CSCF）の間の全メッセージ、ならびに制御機能要素とHSS/HLRの間の全メッセージについて詳細に示されていないことに留意されたい。また、UEの登録において、P-CSCFなどの図示されていないネットワーク要素をさらに伴ってもよい。
【００４２】
アクセスNWシステム／コアNWシステム2の通信制御機能要素にUEを登録する間に、通信制御機能要素は、登録手順中にHSS/HLRから取り込まれたフィルタ情報を確認する（図3のステップS3）。取り込まれたフィルタ情報に基づいてアクセスNWシステム／コアNWシステム2への登録が成功した後、通信制御機能要素は、通信制御機能要素に対するアプリケーションサーバとして存在してもよい外部SM-GWに、例えばUEの登録について報告する（図3のステップS4）。
【００４３】
UEの登録について報告を受けると、外部SM-GWは、本発明に従う独自の登録手順を開始する。本目的において、MAP-ANY-TIME-MODIFICATIONサービスなどのMAPベースのサービスを使用することができる。
【００４４】
MAP-ANY-TIME-MODIFICATIONサービスは、加入情報などのHLRの情報の変更について規定される。それに関するさらなる規定は、例えば、3GPP仕様TS29.002 V7.2.0 およびTS23.078 V7.2.0に記載され、また、図7に示される。MAP-ANY-TIME-MODIFICATIONサービスは、例えば、移動ネットワーク用論理改良適合アプリケーション（Customized Application for Mobile network Enhanced Logic; CAMEL）によって使用され、HLRにおける加入者データを変更する。このデータには、例えば、自動転送、発着信制限などが含まれてもよい。通常、gsmSCFは、HLRの加入情報が変更される場合に、MAP-ANY-TIME-MODIFICATION要求メッセージをHLRに送信する（図7のメッセージA）。MAP-ANY-TIME-MODIFICATION要求には、HLR変更を行なうために使用するコンテンツとして、いくつかのパラメータが含まれる。本コンテンツの例を図6a/bに関連して以下に挙げる。MAP-ANY-TIME-MODIFICATION要求メッセージAによって提供される情報に基づき、HLRによって変更が行なわれると、メッセージBのMAP-ANY-TIME-MODIFICATION確認応答がgsmSCFに返送される。本発明に従う外部メッセージゲートウェイエンティティは、MAP-ANY-TIME-MODIFICATIONなどのMAPサービスを使用し、本サービスの機能をgsmSCFと本質的に同じ方法で使用できるように構成されることに留意されたい。
【００４５】
本発明によると、このようなMAP-ANY-TIME-MODIFICATIONサービスなどのMAPサービスが使用されると、外部SM-GWに関する登録情報を含む新しい情報要素（例えば、変更Request For-SM-GWを示す要素）が、MAP-ANY-TIME-MODIFICATIONサービス要求に付加される。さらに、外部SM-GWのアドレスが、登録手順、つまりHLRに対するMAP-ANY-TIME-MODIFICATION要求の伝送に含まれることが好ましい。外部SM-GWアドレスは、新しい情報要素として、あるいはMAP-ANY-TIME-MODIFICATION要求の既存コンテンツ、つまりgsmSCF-Address情報要素を再利用することによって含めることができる。さらに、外部SM-GWがSMS-GMSCに対してMSCまたはSGSNとして作用可能である場合、MAP-ANY-TIME-MODIFICATION要求は、本情報を含むデータも含む。
【００４６】
Any Time Modificationを使用する代わりに、外部SM-GWアドレスをHLRに登録する（および登録解除する）ための新しいMAPサービス（およびアプリケーションコンテクスト）をさらなる代替として導入することに留意されたい。
【００４７】
上記の機構の他に、HLRにおけるSM-GWアドレスは、特に、外部SM-GWのアドレスが固定されている場合、HLRにおける加入者データ管理によっても管理可能である。
【００４８】
図2aおよび3を参照すると、SM-GWは、例えば、図1のJインターフェースを介して、登録情報およびSM-GWアドレスなどの付加的な情報要素を含むMAP-ANY-TIME-MODIFICATION要求をHLRに送信する（図2aのステップS130および図3のステップS5）。
【００４９】
HLRは、受信した情報を保存し、MAP-ANY-TIME-MODIFICATIONサービスに対応するMAP-ANY-TIME-MODIFICATION応答を使用して、外部SM-GWに応答する（図2aのステップS140、図3のステップS6）。次に、外部SM-GWは、登録が完了して外部SM-GWを介したメッセージの伝送が可能であることを示すOKメッセージを、通信制御機能要素に返送する（図3のステップS7）。
【００５０】
HLRにおける登録が成功すると、UEへのメッセージは、MSCまたはSGSNを使用せずに外部SM-GWを介して転送可能になる。本目的において、上記のように登録手順中にHLRに保存された情報は、例えばSMSCからメッセージを受信する場合に、SMS-GMSCからの経路情報要求に応答するために使用される（図2aのステップSl50）。
【００５１】
次に、本発明に従うメッセージ伝送制御方法における登録解除手順について、図2bおよび4に関連して記載する。
【００５２】
登録手順後のいずれかの時点において、UEは、登録解除手順を開始することができる。本目的において、UEは、De-Registration要求（例えば、0値を有するExpiresヘッダを備えるRegister要求）を、アクセスNWシステム／コアNWシステム2の通信制御機能要素に送信する（図2bのステップS210、図4のステップS11）。図3の説明同様、アクセスNWシステム／コアNWシステム2におけるUEの登録解除過程は、当業者に既知であるため、さらなる詳細について説明しない。
【００５３】
登録解除メッセージを受信すると、通信制御機能要素（例えば、S-CSCF）は、OKメッセージを使用してUEに応答する（図4のステップS12）。次に、通信制御機能要素は、IMS登録手順中にHSSから取り込まれたフィルタ情報を確認する（図3参照）。フィルタ情報に基づき、通信制御機能要素は、ユーザの登録解除について外部SM-GWに報告する（図4のステップS14）。
【００５４】
ここで、外部SM-GWは、対応する要求メッセージをHSS/HLRに送信することによって、HSS/HLRにおけるUEの登録解除を開始する（図2bのステップS220、図4のステップS15）。本目的において、図3に関連して説明されたMAP-ANY-TIME-MODIFICATIONサービスなどのMAPベースのサービスが使用される。本発明によると、このようなMAP-ANY-TIME-MODIFICATIONサービスなどのMAPサービスが使用されると、外部SM-GWに関連する登録解除情報を含む新しい情報要素（例えばmodificationRequestFor-SM-GWを示す要素）がMAP-ANY-TIME-MODIFICATIONサービス要求に付加される。さらに、外部SM-GWのアドレスが、新しい情報要素として、あるいはMAP-ANY-TIME-MODIFICATION要求の既存コンテンツ、つまりgsmSCF-Address情報要素を再利用することによって含めることができる。
【００５５】
図3の登録手順と同様に、Any Time Modificationを使用する代わりに、外部SM-GWアドレスをHLRに登録するための新しいMAPサービス（およびアプリケーションコンテクスト）をさらなる代替として導入することに留意されたい。
【００５６】
上記の機構の他に、HLRにおけるSM-GWアドレスは、特に、外部SM-GWのアドレスが固定されている場合、HLRにおける加入者データ管理によっても管理可能である。
【００５７】
HSS/HLRが登録解除情報を含むMAP-ANY-TIME-MODIFICATION要求を受信すると、UEを登録解除、つまり外部SM-GWアドレスを削除する（図2bのステップS230、S240）。次に、HLRは、登録解除の確認応答を行なうために、MAP-ANY-TIME-MODIFICATION応答を使用して外部SM-GWに応答する（図4のステップS16）。次に、外部SM-GWは、アクセスNWシステム／コアNWシステム2の通信制御機能要素にOKメッセージを返送する（図4のステップS17）。その後、登録解除は完了する。
【００５８】
図2aおよび3において説明された登録手順実行後の、本発明に従うメッセージ伝送制御機構に基づくデータメッセージの配信について、図5に関連して以下に説明する。
【００５９】
図5におけるステップS21では、図3に基づくUEおよび外部SM-GWの登録手順は実行されて完了している。次に、ショートメッセージSMなどのデータメッセージは、SMSCを介して、宛先としてのUEに送信される。SMSCは、SMをSMS-GMSCに転送する（ステップS22）。SMS-GMSCは、SMの配信用の経路情報を取り込むために、HSS／HLRに問い合わせを行なう（ステップS23）。
【００６０】
外部SM-GWが、UEへの伝送路の一部としてHLRに登録されているため、HLRは、MSCアドレスおよびSGSNアドレスに付加的または代替的に、経路情報要求に応答して、保存された外部SM-GWアドレスを送信することができる。SM-GWアドレスは、例えば、SMS-GMSCへの、対応するMAPメッセージのMAP-SEND-ROUTlNG-INFO-FOR-SM Responseに含まれる。これは、新しい情報要素（例えば、sm-gw-Address）を、MAP-SEND-ROUTlNG-INFO-FOR-SM Responseメッセージに導入することによって達成される。外部SM-GWがSMS-GMSCに対してMSCまたはSGSNとして作用可能であるという情報も、HLRが保存していた場合（図3の登録手順において受信）、その情報もSMS-GMSCに転送される。HLRは、SMS-GMSCがこの新しい情報要素の受信に対応するか否かについて認識するべきである。本目的において、新しい情報要素（例えば、sm-gw-SupportIndicator）は、SMS-GMSCからHLRへのMAP-SEND-ROUTlNG-INFO-FOR-SM Requestメッセージに付加されて、HLRによって認識されるようにする必要がある。SMS-GMSCが、この新しい情報要素の受信に対応しない場合、HLRは、MSCまたはSGGSNアドレスの代わりに、SM-GWアドレスを送信することができる。また、当然ながら、HLRは、SM-GWのアドレスのみを返送することもできる。本目的において、新しい情報要素（例えばsm-gw-Nodelndicator）は、MAP-SEND-ROUTlNG-INFO-FOR-SM Responseメッセージに導入され、返送されたアドレス（networkNode-Number）のみがSM-GWアドレスを含むことを示すようにする。
【００６１】
図3の手順に従ってユーザが登録されると、HSS/HLRは、MSCのアドレスと共にSM-GWのアドレスを返送してもよい。メッセージ配信用の好適な経路を選択する論理は、例えば、ネットワークオペレータなどによって特定される。
【００６２】
ステップS23において、SMS-GMSCがHLRから経路情報を受信すると、次に、SMS-GMSCは、MAP-MT-FORWARD-SHORT-MESSAGE Requestメッセージを外部SM-GWアドレスに送信することによって、SMの転送に使用される外部SM-GWアドレスを選択することができる。これは、SMS-GMSCが対象UEのMSISDNを備えてショートメッセージをMSCまたはSGSNに配信する方法と同様に、ショートメッセージを外部SM-GWに配信することを意味する（ステップS24）。
【００６３】
次に、外部SM-GWは、対象UEのTEL-URIを使用して、SIP Request URIを投入することが可能で、次に、適切なSIP 方法を使用して、アクセスNWシステム／コアNWシステム2の通信制御機能要素、例えばS-CSCFに、ショートメッセージを送信する（ステップS25）。アクセスNWシステム／コアNWシステム2は、そのメッセージをUEに転送し（ステップS26）、次に、UEは、OKメッセージを使用して応答する（ステップS27）。アクセスNWシステム／コアNWシステム2は、次に、OKメッセージを使用して外部SM-GWに応答する（ステップS28）。
【００６４】
MSCおよびSGSNについて規定されるように、外部SM-GWについて同種類のSMSフラグが特定されることが好ましい。これらのフラグは、MWD（メッセージ待機データ）、MNRF（移動機への到達不可能フラグ）、MNRG（移動機への到達不可能GPRS）、MNRR（移動機への到達不可能理由）、およびMCEF（メモリ容量不足フラグ）を含んでもよい。
【００６５】
加入者が外部SM-GWを介して移動機へのSMの送信が可能になったことを示す（つまり、接点が確立され、メモリが利用可能である）ために、例えば、外部SM-GWおよびHLR間においてMAPサービスのMAP-READY-FOR-SMを使用することに留意されたい。
【００６６】
図6aおよび6bにおいて、本発明に従う機構において使用されるパラメータおよびMAPメッセージコンテンツの例が示される。本例において、3GPP TS 29.002 V7.2.0に規定されるパラメータおよびメッセージコンテンツは、基礎として使用されるものであるが、本発明に従う機構の実装に必要な変更には、図6aおよび6bにおいて印が付けられる。具体的には、Any Time ModificationのパラメータおよびSend Routing Info For SM messagesのパラメータは変更される。本明細書の例に基づくAny Time Modification要求において、SM-GWアドレスは、gsmSCF-Addressパラメータ部分において送信されることに留意されたい。
【００６７】
上記のとおり、本発明によって、外部SMゲートウェイを介したMT-SMの送信が可能になる。また、本発明は、外部SM-GWアドレスを登録／登録解除する機構も導入する。さらに、本発明は、MAPサービス、例えば、既存のMAP-ANY-TIME-MODIFICATIONサービスを使用して、SM-GWアドレスをHLRに登録することを提案する。Any Time Modificationサービス使用の代替として、外部SM-GWアドレスの登録／登録解除のために、新しいMAPサービス（およびアプリケーションコンテクスト）を導入されてもよい。
【００６８】
上記のとおり、通信ネットワークにおけるデータメッセージの伝送を制御するための機構は、登録手順を実行することと、登録情報を含む要求メッセージを、メッセージゲートウェイエンティティから加入者データベースに、MAPシグナリングを使用して送信することであって、要求メッセージは、メッセージゲートウェイエンティティに関連する登録およびアドレスデータを含む付加的な情報要素をさらに含むことと、登録情報および付加的な情報要素を加入者データベースに保存することと、メッセージゲートウェイエンティティに接続された宛先にデータメッセージを伝送するための経路情報要求に対して、加入者データベースより応答するために、保存された登録情報および付加的な情報要素を使用することと、を含む。登録解除手順に関して、要求メッセージ登録解除情報を含む要求メッセージは、MAPシグナリングを使用して、メッセージゲートウェイエンティティから加入者データベースに送信され、要求メッセージは、メッセージゲートウェイエンティティに関連する登録解除データを含む付加的な情報要素をさらに含み、加入者データベースにおける保存された登録情報および付加的な情報要素は、削除される。
【００６９】
上の説明および添付の図面は、ほんの一例として本発明を例示することだけを意図している。したがって、本発明の好適な実施形態は、添付の請求項の範囲内で変更してもよい。
【図１】
2009520434.tif 000003
【図２ａ】
2009520434.tif 000004
【図２ｂ】
2009520434.tif 000005
【図３】
2009520434.tif 000006
【図４】
2009520434.tif 000007
【図５】
2009520434.tif 000008
【図６ａ】
2009520434.tif 000009
【図６ｂ】
2009520434.tif 000010
【図７】
2009520434.tif 000011
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
通信ネットワークにおいてデータメッセージの伝送用に使用可能であるメッセージゲートウェイエンティティであって、
・  登録手順に関与しうると共に、
・  MAP（Mobile Application Part）シグナリングを使用して、登録情報を含む要求メッセージを送信しうる
ように接続および構成され、さらに、前記メッセージゲートウェイエンティティに関連する登録およびアドレスデータを含む情報要素を前記要求メッセージに含めるように構成される、メッセージゲートウェイエンティティ。
【請求項２】
前記MAPシグナリングの前記要求メッセージとしてMAP-Any-Time-Modification要求メッセージを使用するように構成される、請求項1に記載のメッセージゲートウェイエンティティ。
【請求項３】
メッセージゲートウェイエンティティパラメータの修正要求に前記情報要素を含めるように構成される、請求項2に記載のメッセージゲートウェイエンティティ。
【請求項４】
前記メッセージゲートウェイエンティティに関連する前記アドレスデータを、別の情報要素として前記要求メッセージに含めるように構成される、請求項1から3のいずれかに記載のメッセージゲートウェイエンティティ。
【請求項５】
前記メッセージゲートウェイエンティティに関連する前記アドレスデータを、前記メッセージゲートウェイエンティティに関する情報のために再利用される既存の情報要素に関連して、前記要求メッセージに含めるように構成される、請求項1から13のいずれかに記載のメッセージゲートウェイエンティティ。
【請求項６】
前記メッセージゲートウェイエンティティが通信ネットワークのコアネットワーク制御要素の機能性を提供するように構成されるか否かを示す情報要素を、前記メッセージゲートウェイエンティティに関連する前記情報要素に導入するように構成される、請求項1から5のいずれかに記載のメッセージゲートウェイエンティティ。
【請求項７】
前記メッセージゲートウェイエンティティは、
・  登録解除手順に関与し、
・  MAPシグナリングを使用して、登録解除情報を含む要求メッセージを送信し、前記要求メッセージは、前記メッセージゲートウェイエンティティに関連する登録解除データを含む情報要素をさらに含み、
・  前記要求メッセージに対する前記登録解除の完了を示す応答メッセージを受信する、
ように構成される、請求項1から3のいずれかに記載のメッセージゲートウェイエンティティ。
【請求項８】
前記MAPシグナリングの前記要求メッセージとしてMAP-Any-Time-Modification要求メッセージを使用するように構成される、請求項7に記載のメッセージゲートウェイエンティティ。
【請求項９】
メッセージゲートウェイエンティティパラメータの修正要求に前記情報要素を含めるように構成される、請求項8に記載のメッセージゲートウェイエンティティ。
【請求項１０】
前記データメッセージは、ショートメッセージサービスのショートメッセージである、請求項1から9のいずれかに記載のメッセージゲートウェイエンティティ。
【請求項１１】
メッセージゲートウェイエンティティにおいて、通信ネットワークにおけるデータメッセージの伝送を制御すること；
登録手順に関与すること；
MAP（Mobile Application Part）シグナリングを使用して、登録情報を含む要求メッセージを送信すること；
前記メッセージゲートウェイエンティティに関連する登録およびアドレスデータを含む情報要素を前記要求メッセージに含めること；
を含む、方法。
【請求項１２】
前記MAPシグナリングの前記要求メッセージとしてMAP-Any-Time-Modification要求メッセージを使用することを含む、請求項１１に記載の方法。
【請求項１３】
メッセージゲートウェイエンティティパラメータの修正要求に前記情報要素を含めることを含む、請求項１２に記載の方法。
【請求項１４】
前記メッセージゲートウェイエンティティに関連する前記アドレスデータを、別の情報要素として前記要求メッセージに含めることを含む、請求項１１から１３のいずれかに記載の方法。
【請求項１５】
前記メッセージゲートウェイエンティティに関連する前記アドレスデータを、前記メッセージゲートウェイエンティティに関する情報のために再利用される既存の情報要素に関連して、前記要求メッセージに含めることを含む、請求項１１から１３のいずれかに記載の方法。
【請求項１６】
前記メッセージゲートウェイエンティティが通信ネットワークのコアネットワーク制御要素の機能性を提供するように構成されるか否かを示す情報要素を、前記メッセージゲートウェイエンティティに関連する前記情報要素に導入することを含む、請求項１１から１５のいずれかに記載の方法。
【請求項１７】
前記メッセージゲートウェイエンティティは、
・  登録解除手順に関与すること；
・  MAPシグナリングを使用して、登録解除情報を含む要求メッセージを送信すること、ただし前記要求メッセージは、前記メッセージゲートウェイエンティティに関連する登録解除データを含む情報要素をさらに含むこと；
・  前記要求メッセージに対する前記登録解除の完了を示す応答メッセージを受信すること；
をさらに含む、請求項１１から１３のいずれかに記載の方法。
【請求項１８】
前記MAPシグナリングの前記要求メッセージとしてMAP-Any-Time-Modification要求メッセージを使用することを含む、請求項１７に記載の方法。
【請求項１９】
メッセージゲートウェイエンティティパラメータの修正要求に前記情報要素を含めることを含む、請求項１８に記載の方法。
【請求項２０】
前記データメッセージは、ショートメッセージサービスのショートメッセージである、請求項１１から１９のいずれかに記載の方法。
【請求項２１】
通信ネットワークにおいてデータメッセージの伝送を制御するために使用可能である加入者データベース（Home Subscriber Database）であって、
・  MAPシグナリングによって、登録情報を含む要求メッセージを受信し、ただし前記要求メッセージはメッセージゲートウェイエンティティに関連する登録およびアドレスデータを含む情報要素をさらに含み、
・  登録手順を実行するために、前記登録情報および情報要素を前記加入者データベースに保存し、
・  前記メッセージゲートウェイエンティティに接続される宛先にデータメッセージを伝送するための経路情報要求に対して応答するために、前記保存された登録情報および情報要素を使用しうる、
ように接続および構成される、加入者データベース。
【請求項２２】
MAP-Any-Time-Modification要求メッセージが前記MAPシグナリングの前記要求メッセージとして使用される、請求項21に記載の加入者データベース。
【請求項２３】
前記情報要素は、メッセージゲートウェイエンティティパラメータの修正要求に含まれる、請求項22に記載の加入者データベース。
【請求項２４】
前記メッセージゲートウェイエンティティに関連する前記アドレスデータは、別の情報要素として前記要求メッセージに含められる、請求項21から23のいずれかに記載の加入者データベース。
【請求項２５】
前記メッセージゲートウェイエンティティに関連する前記アドレスデータは、前記メッセージゲートウェイエンティティに関する情報のために再利用される既存の情報要素に関連して、前記要求メッセージに含められる、請求項21から23のいずれかに記載の加入者データベース。
【請求項２６】
前記メッセージゲートウェイエンティティに関連する前記情報要素の一部から、前記メッセージゲートウェイエンティティが通信ネットワークのコアネットワーク制御要素の機能性を提供するように構成されているか否かを認識するように構成される、請求項21から25のいずれかに記載の加入者データベース。
【請求項２７】
前記メッセージゲートウェイ要素に関連する前記登録情報および情報要素を、前記経路情報要求に応じて独占的に送信するように構成される、請求項21から26のいずれかに記載の加入者データベース。
【請求項２８】
前記メッセージゲートウェイ要素に関連する前記登録情報および情報要素を前記経路情報要求に応じて送信し、前記通信ネットワークに存在する少なくとも1つのコアネットワーク制御要素に関連する登録情報およびアドレスデータを前記経路情報要求に応じて送信するように構成される、請求項21から26のいずれかに記載の加入者データベース。
【請求項２９】
前記メッセージゲートウェイ要素が通信ネットワークのコアネットワーク制御要素の機能性を提供するように構成されているという情報を、この情報が前記メッセージゲートウェイエンティティに関連する前記情報要素の前記部分から認識される場合に、前記経路情報要求に応じて送信するように構成される、請求項27から28のいずれかに記載の加入者データベース。
【請求項３０】
・  登録解除手順を実行し、
・  MAPシグナリングによって、登録解除情報を含む要求メッセージを受信し、ただし前記要求メッセージは前記メッセージゲートウェイエンティティに関連する登録解除データを含む情報要素をさらに含み、
・  前記保存された登録情報および情報要素を削除し、
・  前記登録解除の完了を示す応答メッセージを送信する、
ようにさらに構成される、請求項21から29のいずれかに記載の加入者データベース。
【請求項３１】
前記MAPシグナリングの前記要求メッセージとしてMAP-Any-Time-Modification要求メッセージが使用される、請求項30に記載の加入者データベース。
【請求項３２】
前記情報要素は、メッセージゲートウェイエンティティパラメータの修正要求に含められる、請求項31に記載の加入者データベース。
【請求項３３】
前記データメッセージは、ショートメッセージサービスのショートメッセージである、請求項21から32のいずれかに記載の加入者データベース。
【請求項３４】
・  加入者データベース（Home Subscriber Database）において、通信ネットワークにおいてデータメッセージの伝送を制御すること；
・  MAPシグナリングによって、登録情報を含む要求メッセージを受信すること、ただし前記要求メッセージはメッセージゲートウェイエンティティに関連する登録およびアドレスデータを含む情報要素をさらに含むこと；
・  登録手順を実行するために、前記登録情報および情報要素を前記加入者データベースに保存すること；
・  前記メッセージゲートウェイエンティティに接続される宛先にデータメッセージを伝送するための経路情報要求に対して応答するために、前記保存された登録情報および情報要素を使用すること；
を含む、方法。
【請求項３５】
MAP-Any-Time-Modification要求メッセージが前記MAPシグナリングの前記要求メッセージとして使用されることを含む、請求項34に記載の方法。
【請求項３６】
前記情報要素が、メッセージゲートウェイエンティティパラメータの修正要求に含まれることを含む、請求項35に記載の方法。
【請求項３７】
前記メッセージゲートウェイエンティティに関連する前記アドレスデータが、別の情報要素として前記要求メッセージに含められることを含む、請求項34から36のいずれかに記載の方法。
【請求項３８】
前記メッセージゲートウェイエンティティに関連する前記アドレスデータが、前記メッセージゲートウェイエンティティに関する情報のために再利用される既存の情報要素に関連して、前記要求メッセージに含められることを含む、請求項34から36のいずれかに記載の方法。
【請求項３９】
前記メッセージゲートウェイエンティティに関連する前記情報要素の一部から、前記メッセージゲートウェイエンティティが通信ネットワークのコアネットワーク制御要素の機能性を提供するように構成されているか否かを認識することを含む、請求項34から38のいずれかに記載の方法。
【請求項４０】
前記メッセージゲートウェイ要素に関連する前記登録情報および情報要素を、前記経路情報要求に応じて独占的に送信することを含む、請求項34から39のいずれかに記載の方法。
【請求項４１】
前記メッセージゲートウェイ要素に関連する前記登録情報および情報要素を前記経路情報要求に応じて送信し、前記通信ネットワークに存在する少なくとも1つのコアネットワーク制御要素に関連する登録情報およびアドレスデータを前記経路情報要求に応じて送信することを含む、請求項34から39のいずれかに記載の方法。
【請求項４２】
前記メッセージゲートウェイ要素が通信ネットワークのコアネットワーク制御要素の機能性を提供するように構成されているという情報を、この情報が前記メッセージゲートウェイエンティティに関連する前記情報要素の前記部分から認識される場合に、前記経路情報要求に応じて送信することを含む、請求項40から41のいずれかに記載の方法。
【請求項４３】
・  登録解除手順を実行し、
・  MAPシグナリングによって、登録解除情報を含む要求メッセージを受信し、ただし前記要求メッセージは前記メッセージゲートウェイエンティティに関連する登録解除データを含む情報要素をさらに含み、
・  前記保存された登録情報および情報要素を削除し、
・  前記登録解除の完了を示す応答メッセージを送信する、
ことを含む、請求項34から42のいずれかに記載の方法。
【請求項４４】
前記MAPシグナリングの前記要求メッセージとしてMAP-Any-Time-Modification要求メッセージが使用されることを含む、請求項43に記載の方法。
【請求項４５】
前記情報要素が、メッセージゲートウェイエンティティパラメータの修正要求に含まれることを含む、請求項44に記載の方法。
【請求項４６】
前記データメッセージは、ショートメッセージサービスのショートメッセージである、請求項34から45のいずれかに記載の方法。
【請求項４７】
通信ネットワークにおけるデータメッセージの伝送を制御するためのシステムであって、
・  前記データメッセージの宛先としての受信部と、
・  前記通信ネットワークにおいてデータメッセージの伝送用に使用可能であるメッセージゲートウェイエンティティであって、登録手順に関与しうると共に、MAPシグナリングを使用して、登録情報を含む要求メッセージを加入者データベースに送信しうるように接続および構成され、さらに該メッセージゲートウェイエンティティに関連する登録およびアドレスデータを含む情報要素を前記要求メッセージに含めるように構成される、メッセージゲートウェイエンティティと、
・  前記通信ネットワークにおいてデータメッセージの伝送を制御するために使用可能である前記加入者データベースであって、MAPシグナリングによって登録情報を含む要求メッセージを前記メッセージゲートウェイエンティティから受信し、登録手順を実行するために前記登録情報および情報要素を前記加入者データベースに保存し、前記メッセージゲートウェイエンティティに接続される宛先にデータメッセージを伝送するための経路情報要求に対して応答するために、前記保存された登録情報および情報要素を使用しうるように接続および構成され、前記要求メッセージは前記メッセージゲートウェイエンティティに関連する登録およびアドレスデータを含む情報要素をさらに含む、前記加入者データベースと、
を備えるシステム。
【請求項４８】
通信ネットワークにおけるデータメッセージの伝送を制御する方法であって、
・  登録手順を実行することと、
・  登録情報を含む要求メッセージを、メッセージゲートウェイエンティティから加入者データベースに、MAP（Mobile Application Part）シグナリングを使用して送信することであって、前記要求メッセージは、前記メッセージゲートウェイエンティティに関連する登録およびアドレスデータを含む情報要素をさらに含むことと、
・  前記登録情報および情報要素を前記加入者データベースに保存することと、
・  前記メッセージゲートウェイエンティティに接続された宛先にデータメッセージを伝送するための経路情報要求に対して、前記加入者データベースより応答するために、前記保存された登録情報および情報要素を使用することと、
を含む方法。
【請求項４９】
コンピュータ可読媒体において具現化されるコンピュータプログラムであって、通信ネットワークにおけるデータメッセージの伝送に使用可能なメッセージゲートウェイエンティティの機能を実現するためのソフトウェアコード部分を含み、
・  登録手順に関与することと、
・  MAPシグナリングを使用して、登録情報を含む要求メッセージを送信することと、
・  加入者の呼管理の制御に使用可能な前記メッセージゲートウェイエンティティ制御要素に関連する登録およびアドレスデータを含む情報要素を、前記要求メッセージに含むことと、
を実行するように、コンピュータを制御するように構成される、コンピュータプログラム。
【請求項５０】
コンピュータ可読媒体において具現化されるコンピュータプログラムであって、通信ネットワークにおけるデータメッセージの伝送を制御するために使用可能な加入者データベースの機能を実現するソフトウェアコード部分を含み、
・  MAPシグナリングによって、登録情報を含む要求メッセージを受信すること、ただし前記要求メッセージは、前記メッセージゲートウェイエンティティに関連する登録およびアドレスデータを含む情報要素をさらに含む、ことと、
・  登録手順を実行するために、前記登録情報および情報要素を保存することと、
・  前記メッセージゲートウェイエンティティに接続される宛先にデータメッセージを伝送するための経路情報要求に対して応答するために、前記保存された登録情報および情報要素を使用することと、
を実行するように、コンピュータを制御するように構成される、コンピュータプログラム。
【国際調査報告】
2009520434.tif 000012
2009520434.tif 000013